(57)【要約】【課題】泡質がクリーミィで弾力性を有し、かつクラフト点が２０℃以上の界面活性剤を含むにもかかわらず低温における安定性に優れ、洗浄後にしっとりとした肌感触を与えるフォーマー容器入り洗浄剤組成物を提供する。【解決手段】Ｎ−アシルアミノ酸系アニオン界面活性剤（Ａ）と、該Ｎ−アシルアミノ酸系アニオン界面活性剤（Ａ）以外のクラフト点２０℃以上のアニオン界面活性剤（Ｂ）と、両性界面活性剤及び半極性界面活性剤から選択される少なくともいずれかの化合物（Ｃ）と、洗浄剤組成物に対する含有量が２２〜５０質量％の多価アルコール（Ｄ）とを含み、かつフォーマー容器に充填されていることを特徴とするフォーマー容器入り洗浄剤組成物である。【選択図】なし【特許請求の範囲】
【請求項１】
Ｎ−アシルアミノ酸系アニオン界面活性剤（Ａ）と、該Ｎ−アシルアミノ酸系アニオン界面活性剤（Ａ）以外のクラフト点２０℃以上のアニオン界面活性剤（Ｂ）と、両性界面活性剤及び半極性界面活性剤から選択される少なくともいずれかの化合物（Ｃ）と、洗浄剤組成物に対する含有量が２２〜５０質量％の多価アルコール（Ｄ）とを含み、かつフォーマー容器に充填されていることを特徴とするフォーマー容器入り洗浄剤組成物。
【請求項２】
ノニオン界面活性剤（Ｅ）を更に含む請求項１に記載のフォーマー容器入り洗浄剤組成物。
【請求項３】
ノニオン界面活性剤（Ｅ）が、下記一般式（１）で表される請求項２に記載のフォーマー容器入り洗浄剤組成物。
【化１】
2006183039.tif 000014
但し、前記一般式（１）において、Ｒ１は、炭素数８〜２２の直鎖状若しくは分岐鎖状のアルキル基、又は、炭素数８〜２２の直鎖状若しくは分岐鎖状のアルケニル基を表し、ｎは、１〜８０の整数を表す。
【発明の詳細な説明】
【技術分野】
【０００１】
本発明は、泡質がクリーミーで弾力性を有し、かつ低温における安定性に優れ、洗浄後にしっとりとした肌感触を与えるフォーマー容器入り洗浄剤組成物に関する。
【背景技術】
【０００２】
フォーマー容器に充填される洗浄剤は、その容器から押し出すことにより、泡を吐出させて使用する。したがって、簡便性に優れ、毛髪用シャンプー、ハンドソープ、洗顔料といった、人体の部位を対象とした洗浄剤としてのみならず、例えば、衣類、キッチン等の洗剤としても使用されている。
特に、皮膚洗浄剤として使用した場合には、簡便性に加え、弾力性のあるきめ細かなクリーミーな泡質を有し、洗浄後にしっとりとした肌感触を与えるものが好まれる傾向にある。
【０００３】
一方、固形状の皮膚洗浄剤においては、泡質がクリーミーで弾力性を有し、高生産性であることから、ラウリン酸、ミリスチン酸、パルミチン酸のナトリウム塩等のクラフト点が２０℃以上のアニオン界面活性剤が使用されている。また、ヤシ油イセチオン酸塩及びスルホコハク酸塩を含有することにより、泡質がクリーミーであるのみならず、洗浄後の肌感触が良好という効果を有する主にボディ洗浄用として用いられる粒状洗浄料組成物が提案されている（下記特許文献１参照）。
【０００４】
しかし、クラフト点が高い界面活性剤は、泡質がクリーミーで優れているものの、フォーマー容器入り洗浄剤組成物として使用した場合には、低温状態での長期に亘る保存により結晶が析出し、吐出された泡が不均一になったり、押し出しが不可能になるという問題があった。
【０００５】
そのため、含有する塩や界面活性剤等の種類、含有量を規定することにより、吐出される泡を均一にし、かつ低温時にもフォーマー容器から容易に押し出し可能としたフォーマー容器入り洗浄剤が提案されている（下記特許文献２〜６参照）。しかし、これらの提案でも、泡質に弾力性を持たせるには、例えば、アニオン性又は非イオン性高分子が必須になる等して、容易ではないという問題があった。また、使用後の肌感触も必ずしも良好ではないという問題があった。
【０００６】
【特許文献１】特開２００３−２５３２９５号公報
【特許文献２】特開平８−９２０６４号公報
【特許文献３】特開平８−１４３８９９号公報
【特許文献４】特開平１１−３５９７２号公報
【特許文献５】特開２００３−５５６９９号公報
【特許文献６】特開２００４−１３７２４７号公報
【発明の開示】
【発明が解決しようとする課題】
【０００７】
本発明は従来における前記問題を解決し、以下の目的を達成することを課題とする。
即ち、本発明は、泡質がクリーミーで弾力性を有し、かつクラフト点が２０℃以上の界面活性剤を含むにもかかわらず低温における安定性に優れ、洗浄後にしっとりとした肌感触を与えるフォーマー容器入り洗浄剤組成物を提供することを目的とする。
【課題を解決するための手段】
【０００８】
前記課題を解決するため、本発明者らが鋭意検討を重ねた結果、Ｎ−アシルアミノ酸系アニオン界面活性剤（Ａ）と、該Ｎ−アシルアミノ酸系アニオン界面活性剤（Ａ）以外のクラフト点２０℃以上のアニオン界面活性剤（Ｂ）と、両性界面活性剤及び半極性界面活性剤から選択される少なくともいずれかの化合物（Ｃ）と、２２〜５０質量％の多価アルコール（Ｄ）とを含有する洗浄液をフォーマー容器に充填することにより、泡質がクリーミィで弾力性を有し、かつクラフト点が２０℃以上の界面活性剤を含むにもかかわらず低温における安定性に優れ、洗浄後にしっとりとした肌感触を与える、フォーマー容器入り洗浄剤組成物が得られることを見出し、本発明を完成するに至った。
【０００９】
本発明は、本発明者による前記知見に基づくものであり、前記課題を解決するための手段としては、以下の通りである。即ち、
＜１＞  Ｎ−アシルアミノ酸系アニオン界面活性剤（Ａ）と、該Ｎ−アシルアミノ酸系アニオン界面活性剤（Ａ）以外のクラフト点２０℃以上のアニオン界面活性剤（Ｂ）と、両性界面活性剤及び半極性界面活性剤から選択される少なくともいずれかの化合物（Ｃ）と、洗浄剤組成物に対する含有量が２２〜５０質量％の多価アルコール（Ｄ）とを含み、かつフォーマー容器に充填されていることを特徴とするフォーマー容器入り洗浄剤組成物である。
＜２＞  Ｎ−アシルアミノ酸系アニオン界面活性剤（Ａ）が、Ｎ−ラウロイル−β−アラニン及びその塩、Ｎ−ミリスチル−β−アラニン及びその塩、Ｎ−ココイル−β−アラニン及びその塩、Ｎ−ラウロイルグルタミン酸及びその塩、並びにＮ−ココイルグリシン及びその塩から選択される少なくとも１種である前記＜１＞に記載のフォーマー容器入り洗浄剤組成物である。
＜３＞  Ｎ−アシルアミノ酸系アニオン界面活性剤（Ａ）の洗浄剤組成物における含有量が０．１〜２０質量％である前記＜１＞から＜２＞のいずれかに記載のフォーマー容器入り洗浄剤組成物である。
＜４＞  クラフト点２０℃以上のアニオン界面活性剤（Ｂ）が、ミリスチン酸カリウム、パルミチン酸カリウム、ミリスチン酸ナトリウム、Ｎ−パルミトイルメチルタウリンナトリウム、ラウリルスルホ酢酸カリウム、ポリオキシエチレン（１）スルホコハク酸ラウリル２Ｎａ、及びＮ−ココイルメチルタウリンＮａから選択される少なくとも１種である前記＜１＞から＜３＞のいずれかに記載のフォーマー容器入り洗浄剤組成物である。
＜５＞  クラフト点２０℃以上のアニオン界面活性剤（Ｂ）の洗浄剤組成物における含有量が１〜１０質量％である前記＜１＞から＜４＞のいずれかに記載のフォーマー容器入り洗浄剤組成物である。
＜６＞  両性界面活性剤及び半極性界面活性剤から選択される少なくともいずれかの化合物（Ｃ）の洗浄剤組成物における含有量が、０．５〜２０質量％である前記＜１＞から＜５＞のいずれかに記載のフォーマー容器入り洗浄剤組成物である。
＜７＞  多価アルコール（Ｄ）の洗浄剤組成物における含有量が２５〜３５質量％である前記＜１＞から＜６＞のいずれかに記載のフォーマー容器入り洗浄剤組成物である。
＜８＞  ノニオン界面活性剤（Ｅ）を更に含む前記＜１＞から＜７＞のいずれかに記載のフォーマー容器入り洗浄剤組成物である。
＜９＞  ノニオン界面活性剤（Ｅ）が、下記一般式（１）で表される前記＜８＞に記載のフォーマー容器入り洗浄剤組成物である。
【化２】
2006183039.tif 000002
但し、前記一般式（１）において、Ｒ１は、炭素数８〜２２の直鎖状若しくは分岐鎖状のアルキル基、又は、炭素数８〜２２の直鎖状若しくは分岐鎖状のアルケニル基を表し、ｎは、１〜８０の整数を表す。
【発明の効果】
【００１０】
本発明によると、泡質がクリーミィで弾力性を有し、かつクラフト点が２０℃以上の界面活性剤を含むにもかかわらず低温における安定性に優れ、洗浄後にしっとりとした肌感触を与えるフォーマー容器入り洗浄剤組成物を提供することができる。
【発明を実施するための最良の形態】
【００１１】
（フォーマー容器入り洗浄剤組成物）
本発明のフォーマー容器入り洗浄剤組成物は、Ｎ−アシルアミノ酸系アニオン界面活性剤（Ａ）と、該Ｎ−アシルアミノ酸系アニオン界面活性剤（Ａ）以外のクラフト点２０℃以上のアニオン界面活性剤（Ｂ）と、両性界面活性剤及び半極性界面活性剤から選択される少なくともいずれかの化合物（Ｃ）と、多価アルコール（Ｄ）とを含み、かつフォーマー容器に充填されており、さらに必要に応じてノニオン界面活性剤（Ｅ）、及び適宜選択したその他の成分を含む。
【００１２】
−Ｎ−アシルアミノ酸系アニオン界面活性剤（Ａ）−
前記Ｎ−アシルアミノ酸系アニオン界面活性剤（Ａ）としては、例えば、Ｎ−ラウロイル−β−アラニン又はその塩、Ｎ−ミリスチル−β−アラニン又はその塩、Ｎ−ココイル−β−アラニン又はその塩、Ｎ−ラウロイルグルタミン酸又はその塩、Ｎ−ココイルグリシン又はその塩、Ｎ−ラウロイル−Ｎ−メチル−β−アラニン又はその塩、Ｎ−ミリストイル−Ｎ−メチル−β−アラニン又はその塩、Ｎ−ラウロイル−Ｎ−メチルグリシン又はその塩、Ｎ−ミリストイルグルタミン酸又はその塩、Ｎ−ラウロイルアスパラギン酸又はその塩、Ｎ−ココイルアラニン又はその塩などが挙げられる。これらは、それぞれ単独で使用してもよいし、２種以上を併用してもよい。また、Ｎ−アシルアミノ酸系アニオン界面活性剤には、Ｌ体、Ｄ体、ラセミ体があるが、本発明においては、これらのいずれをも使用することができる。
前記塩としては、アルカリ金属塩、アルカノールアミン塩などが挙げられる。
前記アルカリ金属塩としては、例えば、ナトリウム塩、カリウム塩などが挙げられ、前記アルカノールアミン塩としては、例えば、モノエタノールアミン塩、トリエタノールアミン塩などが挙げられる。
前記Ｎ−アシルアミノ酸系アニオン界面活性剤（Ａ）のより好ましい例としては、Ｎ−ラウロイル−β−アラニンカリウム、Ｎ−ミリスチル−β−アラニンカリウム、Ｎ−ココイル−β−アラニントリエタノールアミン、Ｎ−ラウロイル−Ｎ−メチル−β−アラニン、Ｎ−ミリストイル−Ｎ−メチル−β−アラニン、Ｎ−ラウロイル−Ｎ−メチルグリシン、Ｎ−ラウロイルグルタミン酸、Ｎ−ミリストイルグルタミン酸、Ｎ−ラウロイルアスパラギン酸、Ｎ−ココイルグリシン、及びこれらのカリウム塩、トリエタノールアミン塩などが挙げられる。
前記Ｎ−アシルアミノ酸系アニオン界面活性剤（Ａ）の、前記フォーマー容器入り洗浄剤組成物における含有量は、０．１〜２０質量％が好ましく、２〜１５質量％がより好ましい。前記含有量が、０．１質量％未満であると、低温時の安定性の向上効果が充分に発揮できないことがあり、２０質量％を超えると、すすぎ時にヌルツキが生じ、使用感を損なうことがある。
【００１３】
−クラフト点２０℃以上のアニオン界面活性剤（Ｂ）−
ここで、前記クラフト点とは、イオン性界面活性剤の溶解度が臨界ミセル濃度（ｃｍｃ）に等しくなる温度として定義される。通常のイオン性界面活性剤では、水に対する溶解度がクラフト点以下では非常に低く、難溶性物質とみなされる。また、臨界ミセル濃度（ｃｍｃ）以上の濃度では、イオン性界面活性剤の溶存状態が同一である限り、界面活性剤の溶解温度はクラフト点と大きく変わらないことが知られている。したがって、本発明において、クラフト点は次の測定法によって測定される値とした。
濃度１．０質量％のアニオン界面活性剤溶液を試験管に注入し、−２０℃の恒温槽に１日保存し、アニオン界面活性剤溶液を凍結させた。この試料を５℃のウォーターバスに入れ、１時間１℃ずつ昇温を行い、不溶物のない場合は、クラフト点を５℃以下とし、不溶物のある場合はその溶解する温度をクラフト点とした。なお、ｐＨ依存性の高い界面活性剤については、通常洗浄剤として用いられるｐＨに調整し、測定を行うこととした。具体的には、水酸化カリウムなどのアルカリを用いてｐＨ１０．０に調整し、それ以外の中和型の界面活性剤については、市販されているものを精製水にて、１．０質量％溶液に希釈したものを用い、ｐＨは調整せずに測定を行った。
【００１４】
前記クラフト点２０℃以上のアニオン界面活性剤（Ｂ）としては、例えば、ミリスチン酸カリウム、パルミチン酸カリウム、ミリスチン酸ナトリウム、ミリスチン酸ナトリウム、Ｎ−パルミトイルメチルタウリンナトリウム、ラウリルスルホ酢酸カリウム、ポリオキシエチレン（１）スルホコハク酸ラウリル２Ｎａ、Ｎ−ココイルメチルタウリンＮａなどが挙げられる。これらの中でも、特に、ミリスチン酸カリウム、パルミチン酸カリウムが好ましい。また、これらは、それぞれ単独で使用してもよいし、２種以上を併用してもよい。
前記クラフト点２０℃以上のアニオン界面活性剤（Ｂ）の、前記フォーマー容器入り洗浄剤組成物における含有量は、１〜１０質量％が好ましく、２〜８質量％がより好ましい。前記含有量が、１質量％未満であると、泡の弾力性が充分でないことがあり、１０質量％を超えると、低温時に、フォーマー容器に充填された洗浄液の粘度が上昇し、泡が不均一になったり、押し出しが不可能になることがある。
【００１５】
−両性界面活性剤及び半極性界面活性剤（Ｃ）−
前記両性界面活性剤及び半極性界面活性剤（Ｃ）としては、一般に使用されるこれらの界面活性剤の中から適宜選択することができるが、例えば、イミダゾリン型（アミドアミン型）、アミドアミノ酸塩、カルボベタイン型（アルキルベタイン、アルキルアミドベタイン）、スルホベタイン型（アルキルスルホベタイン、アルキルヒドロキシスルホベタイン）、ホスホベタイン型、アシル第３級アミンオキサイド、アシル第３級ホスフォンオキシドなどが挙げられる。これらの中でも、特に、カルボベタイン型、アシル第３級アミンオキサイドが好ましく、安定性の観点から脱塩処理したものがより好ましい。また、これらは、それぞれ単独で使用してもよいし、２種以上を併用してもよい。
前記イミダゾリン型としては、例えば、ヤシ油アルキル−Ｎ−ヒドロキシエチルイミダゾリニウムベタインなどが挙げられる。
前記カルボベタイン型としては、例えば、アルキルベタインとして、ラウリルジメチルアミノ酢酸ベタインなどが挙げられ、アルキルアミドベタインとして、ヤシ油脂肪酸アミドプロピルベタインなどが挙げられる。
前記スルホベタイン型としては、例えば、アルキルスルホベタインとして、ヤシ油脂肪酸ジメチルアミノヒドロキシスルホベタインなどが挙げられる。
前記ホスホベタイン型としては、例えば、ラウリルジメチルアミンオキサイドなどが挙げられる。
前記アシル第３級アミンオキサイドとしては、例えば、ラウリルジメチルアミンオキサイドなどが挙げられる。
前記アシル第３級ホスフォンオキサイドとしては、例えば、ラウリルジメチルホスフォンオキサイドなどが挙げられる。
前記硫酸エステル塩としては、高級アルキル硫酸塩、ポリオキシエチレンアルキルエーテル硫酸塩などが挙げられる。
前記アルキルリン酸エステル塩としては、モノラウリルリン酸トリエタノールアミン、モノラウリルリン酸ジカリウムなどが挙げられる。
前記スルホン酸塩としては、Ｎ−アシルアミノスルホン酸塩、ポリオキシエチレンスルホコハク酸塩などが挙げられ、ポリオキシエチレンアルキルスルホコハク酸ナトリウムなどが挙げられる。
前記両性界面活性剤及び半極性界面活性剤（Ｃ）の、前記フォーマー容器入り洗浄剤組成物における含有量は、０．５〜２０質量％が好ましく、１〜１０質量％がより好ましい。０．５質量％未満であると、低温時の安定性の向上効果が充分に発揮できないことがあり、２０質量％を超えると、すすぎ時にヌルツキが生じ、使用感を損なうことがある。
【００１６】
−多価アルコール（Ｄ）−
前記多価アルコール（Ｄ）としては、例えば、下記一般式（２）で表されるものなどが挙げられる。
【化３】
2006183039.tif 000003
但し、前記一般式（２）において、ａ、ｂ、ｃ及びｄは任意の整数を表し、かつａ＝ｃであってもよいが、ａ、ｃは２〜１０、ｂ、ｄは１〜１５０の整数が好ましい。
前記一般式（２）で表される具体的な多価アルコールとしては、例えば、エチレングリコール、ジエチレングリコール、ヘキシレングリコール、ポリエチレングリコール、プロピレングリコール、ジプロピレングリコール、ポリプロピレングリコール、イソプレングリコール、グリセリン、ジグリセリン、トリグリセリン、テトラグリセリン、ヘキサグリセリン、デカグリセリン、１，３−ブチレングリコール、トリメチルプロパノール、エリスリトール、ペンタエリスリトール、ジペンタエリスリトール、グルコース、マンノース、ガラクトース、ショ糖、フルクトース、マルトース、マルチトール、キシリトール、イノシトール、ソルビタン、ソルビトール、これらの多価アルコールのＥＯ付加物などが挙げられる。これらの中でも、特に、洗い流した後のしっとり感、保湿の観点から、プロピレングリコール、ジプロピレングリコール、グリセリン、１，３−ブチレングリコール、ソルビトールが好ましい。また、これらは、それぞれ単独で使用してもよいし、２種以上を併用してもよい。
前記多価アルコールの含有量（Ｄ）の、前記フォーマー容器入り洗浄剤組成物における含有量は、２２〜５０質量％が好ましく、２５〜３５質量％がより好ましい。２２質量％に満たないと、低温時の安定性の向上効果が充分に発揮できないことがあり、５０質量％を超えると、すすぎ時にヌルツキが生じ、使用感を損なうことがある。
【００１７】
−ノニオン界面活性剤（Ｅ）−
本発明のフォーマー容器入り洗浄剤組成物は、洗浄後の良好な肌感触を得る目的で、適宜選択したノニオン界面活性剤を含んでいてもよい。
前記ノニオン界面活性剤としては、一般にノニオン界面活性剤として使用される化合物の中から適宜選択することができるが、例えば、ポリオキシアルキレン付加型のノニオン界面活性剤、モノあるいはジエタノールアミド系ノニオン界面活性剤、糖系ノニオン界面活性剤、グリセリン系ノニオン界面活性剤などが挙げられる。これらは、それぞれ単独で使用してもよいし、２種以上を併用してもよい。
【００１８】
前記ポリオキシアルキレン付加型のノニオン界面活性剤としては、１種のポリオキシアルキレン付加型と、２種以上のポリオキシアルキレン付加型とが挙げられる。
前記１種のポリオキシアルキレン付加型としては、ポリオキシエチレンラウリルエーテル、ポリオキシエチレンソルビタンモノオレート、ポリエチレングリコール脂肪酸エステル、ポリオキシエチレン硬化ヒマシ油などが挙げられる。
前記２種以上のポリオキシアルキレン付加型としては、ポリオキシプロピレン・ポリオキシエチレンラウリルエーテルなどが挙げられる。
【００１９】
前記モノあるいはジエタノールアミド型ノニオン界面活性剤としては、ラウリン酸モノエタノールアミド、ヤシ油脂肪酸ジエタノールアミド、Ｎ−ポリヒドロキシアルキル脂肪酸アミドなどが挙げられる。
【００２０】
前記糖系ノニオン界面活性剤としては、例えば、糖エーテル系であるアルキルサッカライド系、糖アミド系、ソルビタン脂肪酸エステル系、ショ糖脂肪酸エステル系などが挙げられる。
前記アルキルサッカライド系としては、例えば、下記一般式（３）で表されるものが挙げられる。
【化４】
2006183039.tif 000004
但し、前記一般式（３）において、Ｒ２は、炭素数６〜１８の直鎖状若しくは分岐鎖状のアルキル基、アルケニル基、若しくはアルキルフェニル基を、Ｒ３は、炭素数２〜４のアルキレン基を、Ｇｓは、炭素数５〜６の還元糖を、それぞれ表し、ｒは、１〜１０の整数を表す。
【００２１】
前記糖アミド系としては、例えば、Ｎ−メチルラウリルグルカミドなどのＮ−メチルアルキルグルカミドなどが挙げられる。
前記ソルビタン脂肪酸エステル系としては、例えば、モノイソステアレン酸ソルビタン、モノオレイン酸ソルビタンなどが挙げられる。
前記ショ糖脂肪酸エステル系としては、例えば、ラウリン酸ショ糖エステル、ショ糖モノステアレート、ＰＯＰショ糖モノラウレートなどが挙げられる。
【００２２】
前記グリセリン系ノニオン界面活性剤としては、例えば、セスキオレイン酸グリセリン、ポリオキシエチレングリセリルモノステアレート等のモノグリセリン脂肪酸エステル系ノニオン界面活性剤、モノイソステアリン酸ポリグリセリル等の脂肪酸エステル型ポリグリセリン系のノニオン界面活性剤、ポリグリセリル・ポリオキシブチレンステアリルエーテル等のアルキルエーテル型ポリグリセリン系のノニオン界面活性剤などが挙げられる。
前記ノニオン界面活性剤の中でも、特に、下記一般式（１）で表されるポリオキシエチレンアルキルエーテルが好ましい。
【化５】
2006183039.tif 000005
但し、前記一般式（１）において、Ｒ１は、炭素数８〜２２の直鎖状若しくは分岐鎖状のアルキル基、又は、炭素数８〜２２の直鎖状若しくは分岐鎖状のアルケニル基を表し、ｎは、１〜８０の整数を表す。
前記ノニオン界面活性剤の、前記フォーマー容器入り洗浄剤組成物における含有量は、０．１〜５質量％が好ましい。
前記ノニオン界面活性剤の含有量が０．１質量％未満であると、洗浄後にしっとりとした肌感触が得られないことがあり、５質量％を超えるとすすぎ時にヌルツキが生じ、使用感を損なうことがある。
【００２３】
−その他の成分−
本発明の前記フォーマー容器入り洗浄剤組成物は、目的に応じて適宜選択したその他の成分を含有していてもよい。
前記その他の成分としては、洗浄剤において一般に使用されているものであれば、前記フォーマー容器入り洗浄剤組成物の物性を損なわない限り特に制限はなく、例えば、高級アルコール、シリコーン油などの油分、ラノリン誘導体、蛋白誘導体、水溶性高分子化合物、アクリル樹脂分散液、ビタミンなどの薬剤、殺菌剤、防腐剤、pH調製剤、酸化防止剤、金属封鎖剤、紫外線吸収剤、動植物抽出物又はその誘導体、色素、香料、顔料などが挙げられる。
前記その他の成分として使用される香料の原料としては、例えば、特開２００２−１２８６５８号公報の段落番号〔００３６〕〜〔００３７〕に記載されているものなどが挙げられる。
なお、前記その他の成分は、本発明の目的を妨げない範囲で使用されることが好ましい。
【００２４】
−粘度−
前記フォーマー容器入り洗浄剤組成物の粘度は、該組成物をフォーマー容器に充填して使用するために、１００ｍＰａ・ｓ以下であることが好ましく、５０ｍＰａ・ｓ以下であることが好ましい。
【００２５】
−フォーマー容器−
前記フォーマー容器入り洗浄剤組成物を充填するフォーマー容器としては、例えば、以下の容器が挙げられる。
すなわち、一定量の洗浄剤組成物を一定量の空気と混合して発泡させ、シート状多孔質体（メッシュ）を通して均一できめ細かい泡を吐出する容器として、例えば、ポンプ機能を備えたキャップの頭を手指で押圧することにより泡を吐出するフォーマーポンプ、軟質容器の胴部を手指で押圧することにより泡を吐出するスクイズ容器などが挙げられる。
また、特定口径の噴射口を通して洗浄剤組成物を均一できめ細かい泡沫状態で吐出する種類の容器として、ノズル部を押し下げて泡沫状の泡を吐出するミストディスペンサーや、泡噴出ノズルを有し、トリガーで内容液を加圧することにより泡沫状の泡を吐出するトリガー式のスプレー容器などが挙げられる。
前記シート状多孔質体（メッシュ）は、１００メッシュ以上であり、１００〜４００メッシュが好ましく、泡形成の観点から、２００〜３５０メッシュがより好ましい。また、同様の観点から、その枚数も２枚以上であることが好ましい。
前記フォーマー容器の好ましい具体例としては、例えば、特開平７−３１５４６３号公報、及び特開平８−２３０９６１号公報に、それぞれ記載されたフォーマー容器などが挙げられる。
【００２６】
−フォーマー容器入り洗浄剤組成物の製造方法−
本発明の前記フォーマー容器入り洗浄剤組成物の製造方法としては、特に制限はなく、目的に応じて適宜選択することができる。
【００２７】
本発明の前記フォーマー容器入り洗浄剤組成物は、前記カルボン酸塩における脂肪酸から常法により誘導した塩をそのまま配合させてもよく、前記フォーマー容器入り洗浄剤組成物中に前記カルボン酸塩における脂肪酸と、アルカリとをそれぞれ別々に配合して、中和させてもよい。
【００２８】
本発明の前記フォーマー容器入り洗浄剤組成物を調製する装置としては、特に制限はなく、目的に応じて適宜選択することができ、例えば、剪断力と全体混合できる複数の攪拌羽根（例えば、プロペラ、タービン、ディスパーなど）を備えた攪拌装置が好ましく、アジホモミキサー、逆流ミキサー、ハイブロッドミキサーなどがより好ましい。
【００２９】
−用途−
前記フォーマー容器入り洗浄剤組成物の用途としては、泡質がクリーミィで弾力性を有し、低温における安定性に優れ、洗浄後にしっとりとした肌感触を与えるため、例えば、皮膚用洗浄剤として好適に使用される。
【実施例】
【００３０】
以下、本発明の実施例について説明するが、本発明はこの実施例に何ら限定されるものではない。なお、実施例中「％」は、いずれも「質量％」を意味する。また、表１中の実施例１〜８及び比較例１〜５、並びに後述する実施例９〜１２において使用した香料Ａ〜Ｄは、特開２００２−３０９２９１号公報の表８〜表１４に記載された香料組成物Ａ〜Ｄである。
【００３１】
（実施例１〜１２及び比較例１〜５）
下記表１及び表２（実施例１〜４）、表３及び表４（実施例５〜８）、表５及び表６（比較例１〜５）に示す配合組成で常法によりフォーマー容器充填用洗浄剤組成物を調製し、フォーマー容器から吐出された泡の弾力性、低温時の安定性、及び洗浄後の肌感触を下記方法により評価した。これらの結果を下記表７及び表８に示す。
【００３２】
＜泡の弾力性の評価＞
パネラー１０名が、各フォーマー容器入り洗浄剤組成物を使用後、下記評価基準に基づいて泡の弾力性を評価し、パネラー１０名の平均値を求めた。
［評価基準］
５：非常によい
４：かなりよい
３：ややよい
２：悪い
１：非常に悪い
【００３３】
＜低温時の安定性の評価＞
各フォーマー容器入り洗浄剤組成物を無色透明な容器に入れ、０℃で１ヶ月保存し、結晶の有無を視覚により評価した。
○：結晶の析出が認められない
×：結晶の析出が認められる
【００３４】
＜洗浄後の肌感触の評価＞
パネラー１０名が、各フォーマー容器入り洗浄剤組成物を使用後、下記評価基準に基づいて洗浄後の肌感触を官能的に評価し、パネラー１０名の平均値を求めた。
５：しっとり感がある
４：ややしっとり感がある
３：どちらともいえない
２：ややしっとり感に欠ける
１：しっとり感に欠ける
【００３５】
【表１】
2006183039.tif 000006
【００３６】
【表２】
2006183039.tif 000007
【００３７】
【表３】
2006183039.tif 000008
【００３８】
【表４】
2006183039.tif 000009
【００３９】
【表５】
2006183039.tif 000010
【００４０】
【表６】
2006183039.tif 000011
【００４１】
【表７】
2006183039.tif 000012
【００４２】
【表８】
2006183039.tif 000013
【００４３】
なお、表２、表４、及び表６において、容器の欄中のａ、ｂはそれぞれ以下のものを表す。
ａ：特開平７−３１５４６３号公報に記載されたフォーマー容器
ｂ：２００４年１１月現在市販されている、ライオン株式会社製「キレイキレイ泡ハンドソープ」に使用されているフォーマー容器
また、※を付したものはそれぞれ以下の市販品を表す。
※１  アミライトＡＣＴ−１２（味の素社製）
※２  アミソフトＬＫ−１１（味の素社製）
※３  アミライトＧＣＫ−１２（味の素社製）
※４  ＮＩＫＫＯＬＰＭＴ（日光ケミカルズ社製）
※５  ＴＥＸＩＮ  ＳＳ−１（コグニスジャパン社製）
※６  ネオスコープＣＴＳ−２５（東邦化学工業社製）
※７  ＫＣ−１２９３−Ｋ（東邦化学工業社製）
※８  トーホーＣＴ（東邦化学工業社製）
※９  パーソフトＥＦ（日本油脂社製）
※１０  ＮＩＫＫＯＬＬＭＴ（日光ケミカルズ社製）
※１１  オバゾリンＬＢ−ＳＦ（東邦化学工業社製）
※１２  ソフダゾリンＬＰＢ−Ｒ（川研ファインケミカル社製）
※１３  ソフダゾリンＡＨＳ−１０３（東邦化学工業社製）
※１４  アロモックスＤＭ１２Ｄ−Ｗ（ライオン化学社製）
※１５  オバゾリン  ５５２（東邦化学工業社製）
※１６  ＥＭＡＬＥＸ  ＢＨＡ−３０（日本エマルジョン社製）
※１７  ＥＭＡＬＥＸ  ６１１（日本エマルジョン社製）
※１８  ＥＭＡＬＥＸ  １２５（日本エマルジョン社製）
※１９  ＥＭＡＬＥＸ  ＯＤ−２０（日本エマルジョン社製）
※２０  ＥＭＡＬＥＸ  ７３０（日本エマルジョン社製）
※２１  ＮＩＫＫＯＬ  ＨＣＯ−２０（日光ケミカルズ社製）
※２２  ＮＩＫＫＯＬ  ＴＭＧＯ−５（日光ケミカルズ社製）
※２３  ニューポールＰＥ−６１（三洋化成社製）
※２４  ＥＭＡＬＥＸ  ＧＷＩＳ−１０３（日本エマルジョン社製）
※２５  ＮＩＫＫＯＬ  ＴＳ−３０（日光ケミカルズ社製）
※２６  プランタケア２０００ＵＰ（ヘンケルジャパン社製）
※２７  サンソフトＳＥ−１６Ｐ（太陽化学社製）
※２８  アミゾールＬＭＥ（川研ファインケミカル社製）
※２９  ホームリードＣＤ（ライオン化学社製）
※３０  ＳフェイスＩＳ−１００２（阪本薬品工業社製）
※３１  Ｓフェイス  Ｌ−４０１（阪本薬品工業社製）
※３２  ＳＹ−ＤＰ１４（阪本薬品工業社製）
表７及び表８の結果から、実施例１〜８のフォーマー容器入り状洗浄剤組成物は、泡の弾力性に優れると共に、低温時の安定性にも優れ、更に洗浄後の肌感触も良好なことが判った。これに対して、比較例１〜５の液状洗浄剤組成物は、泡の弾力性、低温時の安定性、及び洗浄後の肌感触が悪く、本発明の効果を達成できないことが判った。
【００４４】
次に、下記配合組成で常法により実施例９〜１２のフォーマー容器入り洗浄剤組成物をそれぞれ調製した。
（実施例９）
［配合組成］
・Ｎ−ラウロイル−β−アラニン（ＬＭＡ−Ｈ、三井化学株式会社製）          ３％
・ミリスチン酸（ＮＡＡ−１４２、日本油脂株式会社製）                      ２％
・ラウリルジメチルアミンオキシド                                      １．５％
・ＰＯＥ（１０）ステアリルエーテル                                        １％
（ＢＬＡＵＮＯＮ  ＳＲ−７１０、青木油脂工業社製）
・プロピレングリコール                                                  ３０％
・ローズマリーエキス（ローズマリー水、丸善製薬社製）                      １％
・ヒドロキシエタンジホスホン酸                                        ０．１％
・香料Ａ                                                              ０．１％
・水酸化カリウム                                            ｐＨ１０．０に調整
・精製水                                                                  残部
合計                                                            １００．０％
なお、フォーマー容器としては、特開平７−３１５４６３号公報に記載されたフォーマー容器を使用した。
【００４５】
（実施例１０）
［配合組成］
・Ｎ−ラウロイル−グルタミン酸カリウム                                    ３％
・ラウリン酸カリウム                                                      ８％
・ミリスチン酸カリウム                                                    ２％
・ラウリルヒドロキシスルホベタイン                                        ４％
・ＰＯＥ（３０）ベヘニルエーテル                                      ０．５％
（ＥＭＡＬＥＸ、ＢＨＡ−３０、日本エマルジョン株式会社製）
・プロピレングリコール                                                  ２０％
・グリセリン                                                            １５％
・ホホバ油                                                                １％
・エデト酸四ナトリウム四水塩                                          ０．１％
・イソプロピルメチルフェノール                                        ０．１％
・ラフィノース                                                      ０．０１％
・香料Ｂ                                                              ０．２％
・精製水                                                                  残部
合計                                                            １００．０％
なお、フォーマーポンプとしては、２００４年１１月現在市販されている、ライオン株式会社製「キレイキレイ泡ハンドソープ」に使用されているフォーマー容器を使用した。
【００４６】
（実施例１１）
［配合組成］
・Ｎ−ココイルグリシンカリウム                                          １０％
・ミリスチン酸カリウム                                                    ２％
・モノ−Ｎ−ラウリルリンゴ酸アミドカリウム                                ３％
・ラウリン酸アミドプロピルベタイン                                        ５％
・ＰＯＥ（２０）オクチルドデシルエーテル                              １．５％
・ＰＯＥ（２）ラウリン酸モノエタノールアミド                              １％
（アミゼット２ＬＹ、川研ファインケミカル社製）
・プロピレングリコール                                                  １０％
・１，３−ブチレングリコール                                            ２０％
・ソルビトール                                                          １２％
・エラグ酸                                                          ０．０５％
・エデト酸四ナトリウム                                                ０．１％
・香料Ｃ                                                              ０．５％
・精製水                                                                  残部
合計                                                            １００．０％
なお、フォーマー容器としては、スクイズ容器（東洋製罐株式会社製）を使用した。
【００４７】
（実施例１２）
［配合組成］
・Ｎ−ココイルアルギニン                                                  ５％
・Ｎ−ココイルメチルダウリンナトリウム                                ０．３％
（ネオスコープＣＴＳ−２５、東邦化学社製）
・ヤシ油脂肪酸                                                            ２％
・ラウリルジメチルアミノ酢酸ベタイン                                  １．５％
・ＰＯＥ（２５）セチルエーテル                                        １．５％
（ＥＭＡＬＥＸ  １２５、日本エマルジョン社製）
・ＰＯＥ（２）ヤシ油脂肪酸モノエタノールアミド                            ３％
（アミゼット２Ｃ、川研ファインケミカル社製）
・ジプロピレングリコール                                                ２０％
・ソルビトール                                                          １０％
・シリコーンエマルジョン                                                  ２％
（ＢＹ２２−０２０、東レ・ダウコーティング・シリコーン社製）
・ピロクトンオラミン                                                      １％
・ヒドロキシエタンジホスホン酸                                        ０．２％
・カミツレエキス（カモミラエキス、一丸ファルコス社製）                ０．１％
・トリエタノールアミン                                        ｐＨ９．２に調整
・香料Ｄ                                                              ０．７％
・精製水                                                                  残部
合計（％）                                                      １００．０％
なお、フォーマー容器としては、トリガー式スプレー容器（ＹＴ−８７Ｌ、吉野工業所製）を使用した。
【００４８】
実施例９〜１２のフォーマー容器入り洗浄剤組成物について、実施例１と同様にして泡の弾力性、低温時の安定性、及び洗浄後の肌感触の評価を行ったところ、いずれの例においても、泡の弾力性に優れると共に、低温時の安定性にも優れ、更に洗浄後の肌感触も良好なことが判った。
【産業上の利用可能性】
【００４９】
本発明のフォーマー容器入り洗浄剤組成物は、泡質がクリーミィで弾力性を有し、低温における安定性に優れ、洗浄後にしっとりとした肌感触を与えるため、例えば、皮膚用洗浄剤として好適に使用される。